(57)【要約】【課題】筆記本体軸の先端部に板状のペン先を装着し、少なくとも筆記本体軸の把持部の断面形状が四角形である筆記具において、筆記時に断面形状が四角形である筆記本体軸を握った際に、必然的に握り方が、従来のような握り感が悪い握り方とならず、筆記感を損ねたり疲労感が生じ難い握り方になるような構造の筆記具を得ることを目的とする。【解決手段】先軸５に対する後軸６のペン先３の表面３ａの後軸６の四角形状の一辺を形成する４つの平側面９ａ、９ｂ、９ｃ、９ｄに対する位置が特定されたどれか１つの平側面に対して、ペン先３の筆記時における上面３ａと下面３ｂを直交する後軸６に対しての径方向に延びた軸線Ｐと、ペン先の上面３ａ側に位置する後軸６の断面形状が四角形の一辺を形成する平側面９ａを直交する径方向に延びた軸線Ｑとが交叉して形成される角度ｎが４５°となるように先軸５の先端に装着する。【選択図】図２
2009012278.tif 000002
【特許請求の範囲】
【請求項１】
筆記本体軸の先端部に、筆記を可能とするための向きを有するペン先を装着し、少なくとも筆記本体軸の把持部の断面形状が四角形である筆記具において、前記ペン先の筆記時における上下の面を直交する筆記本体軸に対しての径方向に延びた軸線と、筆記時におけるペン先の上面側に位置する筆記本体軸の断面形状が四角形の一辺を形成する平側面を直交する筆記本体軸に対しての径方向に延びた軸線とが、交叉して形成される角度が４５°±１０°となるように、ペン先を軸筒の先端に装着したことを特徴とする筆記具。
【請求項２】
前記筆記本体軸が、先端にペン先を装着した先軸の後端に断面形状が四角形の後軸を着脱自在に連接した構造で、前記筆記を可能とするための向きを有するペン先が万年筆のペン先である、請求項１に記載の筆記具。
【発明の詳細な説明】
【技術分野】
【０００１】
本発明は、筆記本体軸の先端部に、筆記を可能とするための向きを有するペン先を装着し、少なくとも筆記本体軸の把持部の断面形状が四角形である筆記具に関する。
【背景技術】
【０００２】
従来、看者の目を惹くために筆記本体軸を、または筆記本体軸とキャップを断面形状が多角形としたものが提案されており、断面形状が四角形のものも提案されている。万年筆においても、筆記本体軸やキャップの断面形状が四角形状のものが提案され、現実に市販されている。こうした万年筆は、筆記本体軸が、ペン先を装着した断面形状が円形状の先軸筒の後端に断面形状が四角形の後軸を着脱自在に螺着してなる構造であり、キャップ（図示せず）の外形形状も断面形状が後軸と同様な四角形に形成してある。
【０００３】
こうした筆記本体軸の断面形状が四角形である万年筆について、図７〜図９を用いて簡単に説明する。図７は、従来の万年筆のペン先周りの先軸と後軸部分の要部を示した側面図である。図８は、図７におけるペン先部分を正面から見たときの拡大正面図である。図９は、従来の万年筆を握った際の指の位置を示す図である。
【０００４】
図７および図８に示すように、万年筆５１の筆記本体軸５２は、ペン先５３とペン芯５４を装着した円筒状の先軸５５と断面形状が四角形状である後軸５６を、キャップ（図示せず）をねじ嵌合するための雄ねじ部５７を有した連結部材５８を介して、着脱自在に連接した構造となっている。具体的には、連結部材５８を後軸５６側に固着し、先軸５５と連結部材５８を螺着することで、または連結部材５８を先軸５５側に固着し、後軸５６と連結部材５８を螺着することで連接させている。先軸５５に装着したペン先５３は、デザイン性から、連結部材５８との螺着が始まる先軸５５の周上の位置と連結部材５８との螺着が終わる先軸５５の周上の位置を特定するなどして、ペン先の上面５３ａが常に後軸５６の断面形状の四角形状の一辺を形成する４つの平側面５９ａ、５９ｂ、５９ｃ、５９ｄの特定されたどれか１つの平側面（図８においては平側面５９ａ）に常に対向するように設けられている。
【０００５】
ところで、ペン先として、例えばボールペンチップ、繊維束からなるペン先、ガラスや金属で製造されたペン先等各種のものがあるが、その中でも、筆記を可能とするための向きを有するペン先がある。例えば万年筆等のペン先がそうである。筆記を可能とするためには、ペン先に施された切割溝が紙面などに当接するようにして筆記しなければ、ペン先に形成された切割溝によってペン先に導出してきたインキを、ペン先から紙面等に乗り移らせることができず筆跡が得られない。また、サインペンやマーカー等の繊維束からなるペン先において、先端を斜めにカットした形状のものがあり、こうした形状のものは斜めにカットした先端面を紙面などに当接して筆記することで、筆跡幅を一定に保った状態での筆記が可能となる。そうした点では筆記時においての向きを有するものと言える。また、薄板状の金属板や合成樹脂板を２枚以上重ね合わせて形成したペン先も、金属板間をインキ溝とした構造なので、万年筆のペン先と同様に、インキ溝が紙面などに当接するようにして筆記しなければならないので、筆記を可能とするための向きを有するものであると言える。
【０００６】
こうした筆記を可能とするための向きを有するペン先を装着した筆記具で筆記するには、当然に筆記可能となるようにペン先を筆記面である紙面等に接するように筆記本体軸を握って筆記する必要がある。例えば、前記のような筆記本体軸の構造の万年筆においては、ペン先に近い先軸を指で握って筆記するタイプの人であるならば、先軸は断面形状が略円形状なので、筆記可能にペン先が筆記面の紙面等に接するように筆記本体軸を握ることが容易であり、自分に合った握り方で握ることが可能であるが、ペン先から離れた後軸筒を指で握って筆記するタイプの人の場合は、例えば右手で万年筆５１を握った場合には、図９に示すように、親指と人差し指を、後軸５６を握った際に後軸５６の立設した平側面５９ｂ、５９ｄに当接し、中指を下側の平側面５９ｃを支えるようにして握ることになってしまい、決して握り感がよいとは言えず、長時間の筆記により疲労感を生じてしまうという問題があった。
【０００７】
一般的に、握りやすい軸の断面形状は、どの部分を握っても同じ状態で握れる、三角形、六角形や円形と言われている。筆記具においては、握る際には「親指の腹部分」、「人差し指の腹部分」を軸に当接し、「中指」で支えるように握るので、平面が３の倍数を有する多角形か角を有さない円形が握りやすいとされており、断面形状が四角形のものは、デザイン性からいえば看者に優位性を与えるものであるが、握り感が決して良いものではない。
【特許文献１】実開昭５９−７９３８３号公報
【特許文献２】実開昭６３−８８１号公報
【発明の開示】
【発明が解決しようとする課題】
【０００８】
本発明は、筆記本体軸の先端部に、筆記を可能とするための向きを有するペン先を装着し、少なくとも筆記本体軸の把持部の断面形状が四角形である筆記具において、筆記時に断面形状が四角形である筆記本体軸を握った際に、必然的に握り方が、従来のような握り感が悪い握り方とならず、疲労感が生じ難い握り方になるような構造の筆記具を得ることを目的とするもので、断面形状を特殊な四角形状とするのではなく、筆記時に、断面形状が六角形の鉛筆を握るような握り方となるような筆記具を提案するものである。
【課題を解決するための手段】
【０００９】
本発明は、
「１．筆記本体軸の先端部に、筆記を可能とするための向きを有するペン先を装着し、少なくとも筆記本体軸の把持部の断面形状が四角形である筆記具において、前記ペン先の筆記時における上下の面を直交する筆記本体軸に対しての径方向に延びた軸線と、筆記時におけるペン先の上面側に位置する筆記本体軸の断面形状が四角形の一辺を形成する平側面を直交する筆記本体軸に対しての径方向に延びた軸線とが、交叉して形成される角度が４５°±１０°となるように、ペン先を軸筒の先端に装着したことを特徴とする筆記具。
２．前記筆記本体軸が、先端にペン先を装着した先軸の後端に断面形状が四角形の後軸を着脱自在に連接した構造で、前記筆記を可能とするための向きを有するペン先が万年筆のペン先である、前記１項に記載の筆記具。」
である。
【００１０】
本発明において、筆記を可能とするための向きを有するペン先とは、前記したように、例えば万年筆等のペン先や、先端を斜めにカットしたサインペンやマーカー等のペン先や、薄板状の金属板や合成樹脂板を２枚以上重ね合わせて形成したペン先等である。
【００１１】
また、本発明においては、ペン先の筆記時における上下の面を直交する筆記本体軸に対しての径方向に延びた軸線と、筆記時におけるペン先の上面側に位置する筆記本体軸の断面形状が四角形の一辺を形成する平側面を直交する筆記本体軸に対しての径方向に延びた軸線とが、交叉して形成される角度が４５°±１０°となるように、ペン先を先軸の先端に装着するが、±１０°という数値範囲は、実際にペン先を筆記本体軸に装着する際に生じる誤差範囲の数値であり、角度がこの誤差範囲内であるならば、筆記時に、断面形状が六角形の鉛筆を握るような握り方が可能であり、筆記時におけるペン先の周方向の傾きによる、筆跡不良とならない程度の範囲数値である。
【００１２】
本発明は、万年筆の筆記時における握り感を改善するもので、少なくとも握る部分の筆記本体軸の断面形状が四角形の場合において有効であり、断面形状が四角形以外の部分の筆記本体軸を握る人に対しての握り感を改善するものではない。
【発明の効果】
【００１３】
本発明の筆記具は前記したような構造なので、筆記時に断面形状が四角形の部分の筆記本体軸を握ると、親指と人差し指を、断面形状が四角形の角部を挟んで両側の筆記本体軸の平側面に当接させ、中指を下側の平側面に当接させて握るようになるので、後で説明するが、握りやすい断面形状が正六角形の軸を握るように握ることができ、従来のものより握り感を改善することができる。また、握り方の不具合から生じる疲労感がない。
【００１４】
また、本発明の筆記具は、新たな部材を付加したり従来の形状を著しく変えるものではないので、製造コストや組立コストを増加することなく、従来の筆記具の構造をそのまま利用でき、コスト面で多大な利点がある。
【発明を実施するための最良の形態】
【００１５】
本発明は、ペン先とペン芯を装着した先軸の後端に後軸筒を連接し、先軸および／または後軸の断面形状が四角形である筆記本体軸を有する万年筆において、先軸に装着するペン先とペン芯を従来の位置より周方向に傾けて取付けるものである。
【実施例】
【００１６】
以下、実施例を図面を用いて説明するが、本発明は実施例に限定されるものではない。図１は、実施例の万年筆を示し、万年筆のペン先周りの先軸と後軸部分の要部を示した側面図である。図２は、図１におけるペン先部分を正面から見たときの拡大正面図である。図３は、実施例の万年筆を握った際の指の位置を示す図である。図４は、握り感を説明するための説明図である。図５は、他の実施例を示し、マーカーのペン先周りの部分の要部を示した側面図である。図６は、図５におけるペン先部分を正面から見たときの拡大正面図である。
【００１７】
図１および図２に示す本発明の実施例の万年筆１の筆記本体軸２は、従来の万年筆の構造と同様に、ペン先３とペン芯４を装着した円筒状の先軸（首軸とも呼ばれている）５の後端には、インキカートリッジやインキ吸入装置（図示せず）を被覆する断面形状が略正四角形状の後軸６（胴軸とも呼ばれている）の先端部分に後端部分（図示せず）を螺着して接着剤により固着した連結部材７を介して、該連結部材７の先端部分を先軸５の後端部分に螺着することで、後軸６を着脱自在に連接してある。なお、連結部材７には、断面形状が略四角形のキャップ（図示せず）が螺着する雄ねじ部８を形成してある。
【００１８】
先軸５と後軸６を連接した際に、先軸５と後軸６の周状の位置関係が常に一定となるように、従来の万年筆の場合と同様に、連結部材７の先軸５に対する螺着の始まりと終わりの位置を特定してある。
【００１９】
後軸６は、四方を平側面９ａ、９ｂ、９ｃ、９ｄとし、断面形状が四角形の角部１０ａ、１０ｂ、１０ｃ、１０ｄをＲ状に形成した形状である。後軸６を連結部材７を介して先軸５と連接すると、図２に示すように、先軸５に装着したペン先３は後軸６の四角形状の１辺を形成する４つの平側面９ａ、９ｂ、９ｃ、９ｄに対する位置が特定されたどれか１つの平側面（図２においては平側面９ａ）に対して、ペン先３の筆記時における上面３ａと下面３ｂを直交する後軸６に対しての径方向に延びた軸線Ｐと、ペン先の上面３ａ側に位置する後軸６の断面形状が四角形の一辺を形成する平側面９ａを直交する径方向に延びた軸線Ｑとが、交叉して形成される角度ｎが４５°となるように、ペン先３およびペン芯４を時計と反対回り側に回転させて装着してある。
【００２０】
後軸６を握ると、右手で筆記具を握る人の場合には、図３に示すように、親指と人差し指を後軸の立設した平側面９ａ、９ｄに当接し、中指を平側面９ｃに当接して握るので、握り難いということはない。こうした握り方は、図４に示すように、握りやすいと言われている二点鎖線で示した断面形状が正六角形の軸Ａを握った場合の握り方と同じような握り方となる。
【００２１】
図５および図６に示す他の実施例は、マーカーペン２１における実施例で、筆記本体軸２２は、従来のサマーカーペンの構造と同様に、先端に繊維束からなるペン先２３を装着した円筒状の先軸２４の後端に断面形状が略正四角形状の後軸２５連接してある。なお、図示していないが、先軸２４には該先軸２４を被覆する断面形状が略四角形のキャップが圧入嵌合する。
【００２２】
後軸２５は、図６に示すように、前記実施例の万年筆１における後軸６と同様に、四方を平側面２６ａ、２６ｂ、２６ｃ、２６ｄで囲まれた形状であり、角部２７ａ、２７ｂ、２７ｃ、２７ｄをＲ状に形成した断面が略正四角形の形状である。先軸２４に装着したペン先２３は後軸２５の四角形状の一辺を形成する４つの平側面２６ａ、２６ｂ、２６ｃ、２６ｄに対する位置が特定されたどれか１つの平側面（図６においては平側面２６ａ）に対して、ペン先２３の筆記時における上面２３ａと下面２３ｂを直交する後軸２５に対しての径方向に延びた軸線Ｒと、ペン先の上面２３ａ側に位置する後軸２５の断面形状が四角形の一辺を形成する平側面２６ａを直交する径方向に延びた軸線Ｓとが交叉して形成される角度ｍが４５°となるように、ペン先２３を時計と反対回り側に回転させて装着してある。
【００２３】
後軸２５を握ると、右手で筆記具を握る人の場合には、前記実施例の万年筆１の場合と同様な握り方となり、従来の断面形状が略四角形の軸を有した筆記具のような握り難さはない。
【産業上の利用可能性】
【００２４】
本発明は筆記具に関する発明であり、断面形状が略四角形の筆記本体軸を有し、その軸を握って筆記する際に、従来のそうした筆記具のような悪い握り感とならないようにしたものである。
【図面の簡単な説明】
【００２５】
【図１】実施例の万年筆を示し、万年筆のペン先周りの先軸と後軸部分の要部を示した側面図である。
【図２】図１におけるペン先部分を正面から見たときの拡大正面図である。
【図３】実施例の万年筆を握った際の指の状態を示す図である。
【図４】握り感を説明するための説明図である。
【図５】他の実施例であるマーカーペンを示し、マーカーのペン先周りの部分の要部を示した側面図である。
【図６】図５におけるペン先部分を正面から見たときの拡大正面図である。
【図７】従来の万年筆のペン先周りの先軸と後軸部分の要部を示した側面図である。
【図８】図７におけるペン先部分を正面から見たときの拡大正面図である。
【図９】従来の万年筆を握った際の指の状態を示す図である。
【符号の説明】
【００２６】
１  万年筆
２  筆記本体軸
３  ペン先
５  先軸
６  後軸
８  平側面
２１  マーカーペン
２２  筆記本体軸
２３  ペン先
２４  先軸
２５  後軸
２６  平側面
【図１】
2009012278.tif 000003
【図２】
2009012278.tif 000004
【図３】
2009012278.tif 000005
【図４】
2009012278.tif 000006
【図５】
2009012278.tif 000007
【図６】
2009012278.tif 000008
【図７】
2009012278.tif 000009
【図８】
2009012278.tif 000010
【図９】
2009012278.tif 000011